(57)【要約】【課題】簡易に機器同士の連結が可能な機器連結機構を提供する。【解決手段】機器連結機構５０は、仮固定された状態から更に、上方から見て右回りに４５°回動する。機器連結機構５０が４５°回動し終えると、凸部６４が円形部材１２の上面に設けられた凹部１４に嵌合するとともに、凸部６５が円形部材１２の上面に設けられた凹部１５に嵌合する。また、凸部７４が円形部材４２の下面に設けられた凹部４６に嵌合するとともに、凸部７５が円形部材４２の下面に設けられた凹部４７に嵌合する。これにより、機器連結機構５０は、回動が規制され、固定される。【選択図】図１４
2007133991.tif 000002
【特許請求の範囲】
【請求項１】
第１の機器と第２の機器とを連結する機器連結機構であって、
非円形状の端面を有する第１の係止部材と、
非円形状の端面を有する第２の係止部材とを有し、
前記第１の係止部材が前記第１の機器に形成される非円形状の第１の孔を貫通して回動するとともに、前記第２の係止部材が前記第２の機器に形成される非円形状の第２の孔を貫通して回動することを特徴とする機器連結機構。
【請求項２】
前記第１の係止部材に形成され、前記機器連結機構が第１の所定角度回動したときに前記第１の機器における前記第１の孔の近傍に形成された第１の凹部に嵌合する第１の凸部と、
前記第２の係止部材に形成され、前記機器連結機構が第１の所定角度回動したときに前記第２の機器における前記第２の孔の近傍に形成された第２の凹部に嵌合する第２の凸部とを有することを特徴とする請求項１に記載の機器連結機構。
【請求項３】
前記第１の凸部は、前記機器連結機構が前記第１の所定角度よりも小さい第２の所定角度回動したときに前記第１の機器における前記第１の孔の近傍に形成された第３の凹部に嵌合し、
前記第２の係止部材は、前記機器連結機構が第２の所定角度回動したときに前記第２の孔を貫通可能となることを特徴とする請求項２に記載の機器連結機構。
【請求項４】
前記第１の係止部材の延在方向と前記第２の係止部材の延在方向とが所定の位相差を有することを特徴とする請求項１乃至３のいずれかに記載の機器連結機構。
【発明の詳細な説明】
【技術分野】
【０００１】
本発明は、オーディオ機器等の各種機器を連結する機器連結機構に関する。
【背景技術】
【０００２】
アンプをはじめとするオーディオ機器は、プレイヤーやチューナー等の他の機器と組み合わされてオーディオシステムを構成する。このような複数の機器によって構成されるシステムでは、設置スペースの制限や見映え等の点から積み重ねる等によって、各機器を連結することが要求されることがある。従来、各機器を連結する場合には、１つの取付金具を各機器に当ててネジ止めすることが一般的であった（例えば、特許文献１参照）。
【特許文献１】実開昭６３−６１１９５号公報
【発明の開示】
【発明が解決しようとする課題】
【０００３】
しかし、上述した従来の連結機構では、作業者は、機器の並びを入れ替えたり、メンテナンスにより一部の機器を取り外す際などにおいて、煩雑なネジ止めの作業が必要であり、時間も要する。このため、簡易に機器を連結することが要求されている。
【０００４】
本発明の目的は、上述した問題を解決するものであり、簡易に機器同士の連結が可能な機器連結機構を提供するものである。
【課題を解決するための手段】
【０００５】
本発明は、第１の機器と第２の機器とを連結する機器連結機構であって、非円形状の端面を有する第１の係止部材と、非円形状の端面を有する第２の係止部材とを有し、前記第１の係止部材が前記第１の機器に形成される非円形状の第１の孔を貫通して回動するとともに、前記第２の係止部材が前記第２の機器に形成される非円形状の第２の孔を貫通して回動することを特徴とする。
【０００６】
この構成により、第１の係止部材が第１の孔を貫通して回動することによって第１の機器に結合し、第２の係止部材が第２の孔を貫通して回動することによって第２の機器に結合するため、機器連結機構を介して第１の機器と第２の機器とが連結される。
【０００７】
また、本発明の機器連結機構は、前記第１の係止部材に形成され、前記機器連結機構が第１の所定角度回動したときに前記第１の機器における前記第１の孔の近傍に形成された第１の凹部に嵌合する第１の凸部と、前記第２の係止部材に形成され、前記機器連結機構が第１の所定角度回動したときに前記第２の機器における前記第２の孔の近傍に形成された第２の凹部に嵌合する第２の凸部とを有するようにしてもよい。
【０００８】
この構成により、機器連結機構は、第１の所定角度回動したときに、その回動が規制され、第１の係止部材が第１の孔から抜けてしまうこと及び第２の係止部材が第２の孔から抜けてしまうことが防止され、機器同士を確実に連結することが可能となる。
【０００９】
また、本発明の機器連結機構は、前記第１の凸部が、前記機器連結機構が前記第１の所定角度よりも小さい第２の所定角度回動したときに前記第１の機器における前記第１の孔の近傍に形成された第３の凹部に嵌合し、前記第２の係止部材が、前記機器連結機構が第２の所定角度回動したときに前記第２の孔を貫通可能となるようにしてもよい。
【００１０】
この構成により、機器連結機構は、第２の所定角度回動したときに、仮固定されることによって回動が規制されて、第２の係止部材が第２の孔との位置合わせがなされ、第２の係止部材が、第２の孔を貫通しやすくさせることができる。
【００１１】
また、本発明の機器連結機構は、前記第１の係止部材の延在方向と前記第２の係止部材の延在方向とが所定の位相差を有するようにしてもよい。
【発明の効果】
【００１２】
本発明によれば、係止部材を機器に形成された孔に貫通させて機器連結機構を回動させるだけで、簡易に機器同士の連結が可能となる。
【発明を実施するための最良の形態】
【００１３】
以下、本発明の実施の形態について、図面を参照して具体的に説明する。図１及び図２は、２つのオーディオ機器からなる車載用オーディオシステムの外観側面図である。これら図１及び図２に示す車載用オーディオシステムは、アンプ、プレイヤー、チューナー等のオーディオ機器１００−１及び１００−２を積み重ね、これらを機器連結機構５０によって連結して構成される。
【００１４】
オーディオ機器１００−１は、上下面が水平となるように配置され、下面に脚部の機能を兼ね備えた下部受け部１０−１を有するとともに、当該下部受け部１０−１の直上の上面に上部受け部４０−１を有する。これら下部受け部１０−１と上部受け部４０−１は、オーディオ機器１００−１の筐体側面を構成するサイドパネル１０２−１と一体成型されている。同様に、オーディオ機器１００−２は、上下面が水平となるように配置され、下面に脚部の機能を兼ね備えた下部受け部１０−２を有するとともに、当該下部受け部１０−２の直上の上面に上部受け部４０−２を有する。これら下部受け部１０−２の一部を構成するケース体と上部受け部４０−２は、オーディオ機器１００−２の筐体側面を構成するサイドパネル１０２−２と一体成型されている。以下、下部受け部１０−１及び１０−２をまとめて適宜「下部受け部１０」と、上部受け部４０−１及び４０−２をまとめて適宜「上部受け部４０」と、サイドパネル１０２−１及び１０２−２をまとめて適宜「サイドパネル１０２」と称する。
【００１５】
図３は、サイドパネル１０２の外観斜視図であり、図３（ａ）は上方からの斜視図、図３（ｂ）は下方からの斜視図である。図３に示すように、サイドパネル１０２の下端部には下部受け部１０が設けられ、上端部には上部受け部４０が設けられている。
【００１６】
下部受け部１０は、半円筒状の部材１１と、当該半円筒状部材１１の下端に設けられた円形部材１２により構成される。円形部材１２の中央部には、円と当該円の外周から突出して対向する２つの凸部とを組み合わせた形状の孔１３が形成されている。この孔１３の延在方向（長手方向）は、サイドパネル１０２の長手方向と直交する方向である。また、孔１３の入口全周には、面取りが形成されている。更に、円形部材１２の上面における、孔１３の延在方向を基準として上方から見て右回りに４５°回転させた位置には対向する２つの凹部１４及び１５が形成されている。
【００１７】
一方、上部受け部４０は、半円筒状の部材４１と、当該半円筒状部材４１の上端に設けられた円形部材４２により構成される。円形部材４２の中央部には、円と当該円の外周から突出して対向する２つの凸部とを組み合わせた形状の孔４３が形成されている。この孔４３の延在方向（長手方向）は、下部受け部１０における孔１３の延在方向を基準として上方から見て左回りに４５°回転させた方向であり、サイドパネル１０２の長手方向と直交している。また、孔４３の入口全周には、面取りが形成されている。更に、円形部材４２の下面における、孔４３の延在方向を基準として、上方から見て右回りに４５°回転させた位置には対向する２つの凹部４４及び４５が形成されており、９０°回転させた位置には対向する２つの凹部４６及び４７が形成されている。
【００１８】
機器連結機構５０は、オーディオ機器１００−１における下部受け部１０−１とオーディオ機器１００−２における上部受け部４０−２とを内包して結合することにより、オーディオ機器１０−１とオーディオ機器１０−２を連結する。
【００１９】
図４は機器連結機構５０の外観斜視図、図５（ａ）は上面図、図５（ｂ）は側面図、図５（ｃ）は図５（ａ）のＡ−Ａ線断面図、図５（ｄ）は図５（ａ）のＢ−Ｂ線断面図である。図４は、機器連結機構５０の上面図、側面図及び断面図である。これら図４及び図５に示すように、機器連結機構５０は、円筒部材５１、円形部材５２、上部係止部材６０及び下部係止部材７０により構成され、これらは一体成型されている。円形部材５２は、円筒部材５１の内周面中央部に位置する。また、上部係止部材６０及び下部係止部材７０は、円形部材５２によって支持され、円筒部材５１の内方中央部の上側に上部係止部材６０が位置し、円筒部材５１の内方中央部の下側に下部係止部材７０が位置する。これら上部係止部材６０の延在方向（長手方向）と下部係止部材７０の延在方向とは、互いに直交している。また、上部係止部材６０及び下部係止部材７０の中央部には、これら上部係止部材６０及び下部係止部材７０を貫通する孔８０が形成されている。機器連結機構５０の結合されたオーディオ機器が釘状体の止め具であるＳＣＲによって車室内のフロア（床部）に設置される場合、ＳＣＲは、この孔８０に挿入され、貫通した先端部分がフロアに止められる。これにより、車体からの振動がオーディオ機器に加えられても、当該オーディオ機器がフロアから外れることなく、確実に固定される。
【００２０】
上部係止部材６０は、円筒部材５１の上端部と略同一の水平面に位置する。この上部係止部材６０は、円形部材６１と当該円形部材６１の外周から突出して対向する２つの凸部６２及び６３とを組み合わせて構成され、端面が下部受け部４０の孔４３に対応する非円形状となっている。更に、凸部６２の下面の先端近傍には、凸部６４が形成され、凸部６３の下面の先端近傍には、凸部６５が形成されている。
【００２１】
下部係止部材７０は、円筒部材５１の下端部と略同一の水平面に位置する。この下部係止部材７０は、上述した上部係止部材６０と同様、円形部材７１と当該円形部材７１の外周から突出して対向する２つの凸部７２及び７３とを組み合わせて構成されており、端面が上部受け部１０の孔１３に対応する非円形状となっている。更に、凸部７２の上面の先端近傍には、凸部７４が形成され、凸部７３の上面の先端近傍には、凸部７５が形成されている。
【００２２】
以下、機器連結機構５０によるオーディオ機器１００−１とオーディオ機器１００−２の連結動作について説明する。図６は、連結動作における第１の工程を示す斜視図であり、図６（ａ）は上方からの斜視図、図６（ｂ）は下方からの斜視図である。第１の工程では、機器連結機構５０は、サイドパネル１０２−２に設けられた上部受け部４０−２の上方に配置される。このとき、機器連結機構５０は、下部係止部材７０の延在方向が上部受け部４０−２の円形部材４２に形成された孔４３の延在方向と一致するように配置される。
【００２３】
図７は、連結動作における第２の工程を示す斜視図であり、図７（ａ）は上方からの斜視図、図７（ｂ）は下方からの斜視図である。第２の工程では、機器連結機構５０は、円筒部材５１の内周面が上部受け部４０−２の半円筒状部材４１の外周面に当接しつつ下方に移動し、下部係止部材７０が上部受け部４０−２の円形部材４２に形成された孔４３を貫通する。そして、機器連結機構５０の円形部材５２の下面が円形部材４２の上面に接触すると、機器連結機構５０の下方への移動が規制される。このとき、下部係止部材７０の上面は、円形部材４２の下面よりも僅かに下方に位置する。
【００２４】
図８は、連結動作における第３の工程を示す斜視図であり、図８（ａ）は上方からの斜視図、図８（ｂ）は下方からの斜視図である。第３の工程では、機器連結機構５０が上方から見て右回りに４５°回動する。回動中は、下部係止部材７０における凸部７２の上面に形成された凸部７４及び凸部７３の上面に形成された凸部７５が上部受け部４０−２の円形部材４２に接触するため、下部係止部材７０は、先端部が下方に付勢された状態となる。そして、機器連結機構５０が４５°回動し終えると、凸部７４が円形部材４２の下面に設けられた凹部４４に嵌合するとともに、凸部７５が円形部材４２の下面に設けられた凹部４５に嵌合する。このため、下部係止部材７０の先端部に対する下方への付勢力が消滅あるいは減少するするとともに、機器連結機構５０は、回動が規制され、仮固定される。機器連結機構５０を回動させる作業者は、指先で付勢力の消滅あるいは減少を感知することにより、凸部７４の凹部４４への嵌合及び凸部７５の凹部４５への嵌合を認識することができる。
【００２５】
図９乃至図１３は、連結動作における第４の工程を示す図であり、図９は上方からの斜視図、図１０は下方からの斜視図である。また、図１１（ａ）は正面図、図１１（ｂ）は図１１（ａ）のＡ線断面図、図１１（ｃ）は図１１（ａ）のＢ線断面図、図１２（ａ）は図１１（ａ）のＣ−Ｃ線断面図、図１２（ｂ）は図１１（ｃ）のＤ−Ｄ線断面図、図１３は図１１（ｂ）のＥ−Ｅ線断面図である。
【００２６】
第４の工程では、機器連結機構５０が仮固定された状態で、サイドパネル１０２−１に設けられた下部受け部１０−１が上方に配置される。この際、サイドパネル１０２−１の向きをサイドパネル１０２−２の向きに合わせると、仮固定された機器連結機構５０の上部係止部材６０の延在方向と、下部受け部１０−１の円形部材１２に形成された孔１３の延在方向とは同一となる。
【００２７】
更に、サイドパネル１０２−１とともに下部受け部１０−１が下方に移動すると、当該下部受け部１０−１は、半円筒状部材１１の外周面が円筒部材５１の内周面に当接しつつ下方に移動し、上部係止部材６０が下部受け部１０−１の円形部材１２に形成された孔１３を貫通する。そして、機器連結機構５０の円形部材５２の上面が円形部材１２の下面に接触すると、下部受け部１０−１の下方への移動が規制される。このとき、上部係止部材６０の下面は、円形部材１２の上面よりも僅かに上方に位置する。
【００２８】
図１４乃至図１８は、連結動作における第５の工程を示す図であり、図１４は上方からの斜視図、図１５は下方からの斜視図である。また、図１６（ａ）は正面図、図１６（ｂ）は図１６（ａ）のＡ線断面図、図１６（ｃ）は図１６（ａ）のＢ線断面図、図１７（ａ）は図１６（ａ）のＣ−Ｃ線断面図、図１７（ｂ）は図１６（ｃ）のＤ−Ｄ線断面図、図１８は図１６（ｂ）のＥ−Ｅ線断面図である。
【００２９】
第５の工程では、機器連結機構５０が仮固定された状態から更に、上方から見て右回りに４５°回動する。回動中は、上部係止部材６０における凸部６２の下面に形成された凸部６４及び凸部６３の下面に形成された凸部６５が上部受け部１０−１の円形部材１２に接触するため、上部係止部材６０は、先端部が上方に付勢された状態となる。また、下部係止部材７０における凸部７２の上面に形成された凸部７４及び凸部７３の上面に形成された凸部７５が上部受け部４０−２の円形部材４２に接触するため、下部係止部材７０は、先端部が下方に付勢された状態となる。
【００３０】
そして、機器連結機構５０が４５°回動し終えると、凸部６４が円形部材１２の上面に設けられた凹部１４に嵌合するとともに、凸部６５が円形部材１２の上面に設けられた凹部１５に嵌合する。また、凸部７４が円形部材４２の下面に設けられた凹部４６に嵌合するとともに、凸部７５が円形部材４２の下面に設けられた凹部４７に嵌合する。このため、上部係止部材６０の先端部に対する下方への付勢力が消滅するとともに、下部係止部材７０の先端部に対する上方への付勢力が消滅あるいは減少し、機器連結機構５０は、回動が規制され、固定される。機器連結機構５０を回動させる作業者は、指先で付勢力の消滅あるいは減少を感知することにより、機器連結機構５０が固定されたことを認識することができる。また、上部係止部材６０と孔１３のそれぞれの延在方向が不一致となるとともに、下部係止部材７０と孔４３のそれぞれの延在方向が不一致となるため、上部係止部材６０及び下部係止部材７０がそれぞれ孔１３及び孔１４から抜けることが防止される。
【００３１】
このようにして、機器連結機構５０が、オーディオ機器１００−１における下部受け部１０−１、及び、オーディオ機器１００−２における上部受け部４０−２と結合することにより、オーディオ機器１００−１及び１００−２は、オーディオ機器１００−１が上部、オーディオ機器１００−２が下部となって連結される。
【００３２】
なお、上述した実施形態では、機器連結機構５０がオーディオ機器１００−１における１つの下部受け部１０−１、及び、オーディオ機器１００−２における１つの上部受け部４０−２を結合することにより、オーディオ機器１００−１及び１００−２が連結されたが、オーディオ機器１００−１の四隅のそれぞれに下部受け部１０−１を設けるとともに、オーディオ機器１００−２の四隅のそれぞれに上部受け部４０−２を設けて、これらを４つの機器連結機構５０を用いて結合させるようにすることで、オーディオ機器１００−１及び１００−２をより強固に連結させることができる。また、上段のオーディオ機器１００−１の上部受け部４０−１における孔４３等、連結に使用されていない孔４３については体裁を得るために塞がれるようにしてもよい。
【００３３】
また、上述した実施形態では、２つのオーディオ機器１００−１と１００−２とを連結する場合について説明したが、これらと同様に、下部受け部１０と上部受け部４０を有する機器であれば、機器連結機構５０を用いて更に積み重ねて連結することができる。また、下部受け部１０と上部受け部４０の配置を入れ替えた構成であっても本発明を適用することができる。更に、上述した実施形態では、上下方向に機器を連結する場合について説明したが、水平方向に機器を連結する場合においても同様に本発明を適用することができる。
【００３４】
また、上述した実施形態では、円形部材１２の上面における、孔１３の延在方向を基準として上方から見て右回りに４５°回転させた位置に対向する２つの凹部１４及び１５が形成されるとともに、円形部材４２の下面における、孔４３の延在方向を基準として、上方から見て右回りに４５°回転させた位置に対向する２つの凹部４４及び４５が形成され、９０°回転させた位置に対向する２つの凹部４６及び４７が形成されるようにしたが、凹部の形成される位置は、これらに限定されるものではない。
【産業上の利用可能性】
【００３５】
以上、説明したように、本発明に係る機器連結機構は、簡易に機器同士の連結が可能であり、機器連結機構として有用である。
【図面の簡単な説明】
【００３６】
【図１】車載用オーディオシステムの第１の外観側面図である。
【図２】車載用オーディオシステムの第１の外観側面図である。
【図３】サイドパネルの外観斜視図である。
【図４】機器連結機構の外観斜視図である。
【図５】機器連結機構の上面図、側面図及び断面図である。
【図６】連結動作における第１の工程を示す斜視図である。
【図７】連結動作における第２の工程を示す斜視図である。
【図８】連結動作における第３の工程を示す斜視図である。
【図９】連結動作における第４の工程を示す第１の斜視図である。
【図１０】連結動作における第４の工程を示す第２の斜視図である。
【図１１】連結動作における第４の工程を示す正面図、第１及び第２の断面図である。
【図１２】連結動作における第４の工程を示す第３及び第４の断面図である。
【図１３】連結動作における第４の工程を示す第５の断面図である。
【図１４】連結動作における第５の工程を示す第１の斜視図である。
【図１５】連結動作における第５の工程を示す第２の斜視図である。
【図１６】連結動作における第５の工程を示す正面図、第１及び第２の断面図である。
【図１７】連結動作における第５の工程を示す第３及び第４の断面図である。
【図１８】連結動作における第５の工程を示す第５の断面図である。
【符号の説明】
【００３７】
１０−１、１０−２  下部受け部
１１、４１  半円筒状部材
１２、４２、５１、６１、７１  円形部材
１３、４３、８０  孔
１４、１５、４４、４５、４６、４７  凹部
４０−１、４０−２  下部受け部
５０  機器連結機構
５１  円筒部材
６０  上部係止部材
７０  下部係止部材
６２、６３、６４、６５、７２、７３、７４、７５  凸部
【図１】
2007133991.tif 000003
【図２】
2007133991.tif 000004
【図３】
2007133991.tif 000005
【図４】
2007133991.tif 000006
【図５】
2007133991.tif 000007
【図６】
2007133991.tif 000008
【図７】
2007133991.tif 000009
【図８】
2007133991.tif 000010
【図９】
2007133991.tif 000011
【図１０】
2007133991.tif 000012
【図１１】
2007133991.tif 000013
【図１２】
2007133991.tif 000014
【図１３】
2007133991.tif 000015
【図１４】
2007133991.tif 000016
【図１５】
2007133991.tif 000017
【図１６】
2007133991.tif 000018
【図１７】
2007133991.tif 000019
【図１８】
2007133991.tif 000020